(57)【要約】【課題】履き物の使用者の足の骨格に応じた土踏まずの位置に合わせて隙間調整パッドを設けることにより、安定歩行を図り、角質化や骨格の変形などの足裏の悩みを軽減し得る履き物及びその製造方法を提供することにある。【解決手段】中底9の土踏まず部分上に、前記中底の前後方向において中央部を厚く、前端側及び後端側を薄く形成した隙間調整パッド1を一体化し、この隙間調整パッド1および中底上に中敷きを一体化せしめてなり、前記隙間調整パッドが、硬度４０度ないしは６０度の弾力性部材からなることを特徴とする。【選択図】      図５
2004195019.tif 000002
【特許請求の範囲】
【請求項１】
中底の土踏まず部分上に、前記中底の前後方向において中央部を厚く、前端側及び後端側を薄く形成した隙間調整パッドを一体化し、この隙間調整パッドおよび中底上に中敷きを一体化せしめてなることを特徴とする履き物。
【請求項２】
前記隙間調整パッドが、硬度４０度ないしは６０度の弾力性部材からなることを特徴とする請求項１記載の履き物。
【請求項３】
履き物における中底の足の土踏まず部分上に、前記中底の前後方向において中央部を厚く、前端側及び後端側を薄く形成した隙間調整パッドを一体化せしめた後、この隙間調整パッドおよび前記中底上に中敷きを一体化せしめて履き物を製造することを特徴とする履き物の製造方法。
【請求項４】
前記隙間調整パッドが、硬度４０度ないしは６０度の弾力性部材からなることを特徴とする請求項３記載の履き物の製造方法。
【発明の詳細な説明】
【０００１】
【発明の属する技術分野】
この発明は、履き物の使用者の足の骨格に応じた土踏まず部分の位置に靴用隙間調整パッドを設けた履き物及びその履き物の製造方法に関する。
【０００２】
【従来の技術】
従来、靴の中底と足裏との間には足の骨格（アーチ）により特に土踏まずの部分に隙間が生じるために、骨格が変形したり痛みが生じたり疲れやすくなったりする。上記の隙間が生じる原因としては以下の点があげられる。
【０００３】
（１）足の骨格（アーチ）と、靴の中底（足裏と靴の接触部分）とが不一致である。
【０００４】
（２）足の甲部分と靴の甲部分の内容積が不一致である。この例としては、靴を購入した当初から足の甲部分と靴の甲部分に余裕がある場合や、靴を履き込んでいくにつれて上記の余裕が生じる場合がある。
【０００５】
（３）靴サイズの選定ミスが原因となる。
【０００６】
上記の問題を解消するために、ほぼ土踏まずの位置付近にパッドを備えたパッド付き中敷きが考案されている。このパッド付き中敷きが靴の中底に敷かれることによってパッドが土踏まずと靴の中底との間のクッション材となって荷重分散を図るようにするものである。
【０００７】
【特許文献１】
特願２００１−３１６６８２号
【０００８】
【発明が解決しようとする課題】
ところで、従来のパッド付き中敷きでは、人によって足の大きさや骨格が異なるので、大きさやパッドの位置を変えたものを幾種類も製作し、この幾種類ものパッド付き中敷きの中から使用者が選択する必要があるので、面倒であることや量産性を図れないのでコストアップになるという問題点があった。
【０００９】
しかも、土踏まずの形状（縦アーチ、横アーチ）や位置が人によって千差万別であるので、上記のように幾種類ものパッド付き中敷きが製作されるとしても、必ずしもぴったりフィットするものを選定できないという問題点があった。
【００１０】
ちなみに、隙間ができることによる問題点は以下に示す通りである。
【００１１】
（１）足裏にかかる荷重がつま先と踵の２点に集中するために以下の問題がある。すなわち、マメ、タコ、魚の目等のように足裏に角質化が生じるので、痛みが生じたり、見た目が悪くなる。また、開張足、外反母趾等のように骨格が変形するので、痛みが生じたり、見た目が悪くなる。さらに、踵痛、踏みつけ痛等のように荷重の衝撃を吸収できないので、痛みが生じる。
【００１２】
（２）歩行が安定しないために、筋肉疲労、筋肉痛等のように無駄な力が入るので、疲れやすくなり、痛みが生じる。
【００１３】
特に、女性用のハイヒール靴等のデザインを重視した靴では、歩行中につま先が靴の先端側に押し込められるために無理な変形を強いられ、上記のような問題が生じるものであった。
【００１４】
この発明は上述の課題を解決するためになされたもので、その目的は、履き物の使用者の足の骨格に応じた土踏まずの位置に合わせて隙間調整パッドを設けることにより、安定歩行を図り、角質化や骨格の変形などの足裏の悩みを軽減し得る履き物及びその製造方法を提供することにある。
【００１５】
【課題を解決するための手段】
上記目的を達成するために請求項１によるこの発明の履き物は、中底の土踏まず部分上に、前記中底の前後方向において中央部を厚く、前端側及び後端側を薄く形成した隙間調整パッドを一体化し、この隙間調整パッドおよび中底上に中敷きを一体化せしめてなることを特徴とするものである。
【００１６】
したがって、隙間調整パッドを使用者の足の土踏まず部分の位置に当てるようにして設けられているので、足裏にかかる荷重が足裏全体に亘って分散されることから、マメ、タコ、魚の目等の角質化や、開張足、外反母趾等の骨格の変形や、踵痛、踏みつけ痛等のように荷重の衝撃吸収ができない、といった足裏の悩みが軽減される。
【００１７】
請求項２によるこの発明の履き物は、請求項１記載の履き物において、前記隙間調整パッドが、硬度４０度ないしは６０度の弾力性部材からなることを特徴とするものである。
【００１８】
したがって、最適な弾性硬度による心地よい着用感と兼用性が得られる。また、程良いグリップ性による安定歩行で疲れが緩和される。
【００１９】
請求項３によるこの発明の履き物の製造方法は、履き物における中底の足の土踏まず部分上に、前記中底の前後方向において中央部を厚く、前端側及び後端側を薄く形成した隙間調整パッドを一体化せしめた後、この隙間調整パッドおよび前記中底上に中敷きを一体化せしめて履き物を製造することを特徴とするものである。
【００２０】
したがって、請求項１と同様に、隙間調整パッドを使用者の足の土踏まず部分の位置に当てるようにして設けられているので、足裏にかかる荷重が足裏全体に亘って分散されることから、マメ、タコ、魚の目等の角質化や、開張足、外反母趾等の骨格の変形や、踵痛、踏みつけ痛等のように荷重の衝撃吸収ができない、といった足裏の悩みが軽減される。
【００２１】
請求項４によるこの発明の履き物の製造方法は、請求項３記載の履き物の製造方法において、前記隙間調整パッドが、硬度４０度ないしは６０度の弾力性部材からなることを特徴とするものである。
【００２２】
したがって、請求項２と同様に、最適な弾性硬度による心地よい着用感と兼用性が得られる。また、程良いグリップ性による安定歩行で疲れが緩和される。
【００２３】
【発明の実施の形態】
以下、この発明の実施の形態について図面を参照して説明する。
【００２４】
図１、図２及び図３を参照するに、この実施の形態に係る隙間調整パッド１は足の土踏まずのアーチ形状にほぼ対応する形状となっており、後述する履き物としての例えば靴の前後方向において中央部３が厚く、先端側５及び後端側７が薄く形成されている。なお、隙間調整パッド１の材料としては、例えばＳＢＲ合成ゴム、ＥＶＡエバー樹脂、ウレタンフォームなどの硬度４０度ないしは６０度の弾力性樹脂材が用いられる。この実施の形態では、硬度４５度のＳＢＲ合成ゴムが使用されている。
【００２５】
中敷き９は、図４に示されているように、履き物としての例えば靴の中底の形状にほぼ対応した形状となっている。なお、中敷き９は例えば人工皮革で構成されるが、これに限定されない。
【００２６】
上記構成により、図５に示されているように、履き物としての例えば靴１１を製造するときにすでに形成されている中底１３の足の土踏まずの位置１３Ａに合わせるようにして図１、図２及び図３に示されている靴用隙間調整パッド１が接着剤１５により接着されて一体化される。そして、靴用隙間調整パッド１とこの靴用隙間調整パッド１が接着されていない中底１３の部分に、別の接着剤１７により図４に示されている中敷き９が接着されて一体化されて靴が製造される。
【００２７】
以上のように、靴用隙間調整パッド１が足の土踏まずの形状に合わせた位置に当てるようにして靴用隙間調整パッド１が靴１１の中底１３に容易に一体化される。したがって、靴用隙間調整パッド１による程良い厚さのアジャストメントにより、足裏にかかる荷重がつま先と土踏まずと踵の全体に亘って分散されるので、マメ、タコ、魚の目等の角質化や、開張足、外反母趾等の骨格の変形や、踵痛、踏みつけ痛等のような荷重の衝撃吸収ができない、といった足裏の悩みを軽減させることができる。
【００２８】
また、上記の靴用隙間調整パッド１が硬度４０度ないしは６０度の弾力性樹脂材で構成されることから、最適な弾性硬度による心地よい着用感と兼用性を得ることができる。また、程良いグリップ性による安定歩行で疲れを緩和させることができる。
【００２９】
なお、この発明は前述した実施の形態に限定されることなく、適宜な変更を行うことによりその他の態様で実施し得るものである。本実施の形態では履き物として靴１１を例にとって説明したが、靴１１以外にもサンダルなどにも適用されるものである。
【００３０】
【発明の効果】
以上のごとき発明の実施の形態の説明から理解されるように、請求項１の発明によれば、隙間調整パッドを使用者の足の土踏まず部分の位置に当てるようにして設けられているので、足裏にかかる荷重が足裏全体に亘って分散されることから、マメ、タコ、魚の目等の角質化や、開張足、外反母趾等の骨格の変形や、踵痛、踏みつけ痛等のように荷重の衝撃吸収ができない、といった足裏の悩みを軽減させることができる。
【００３１】
請求項２の発明によれば、最適な弾性硬度による心地よい着用感と兼用性を得ることができる。また、程良いグリップ性による安定歩行で疲れを緩和させることができる。
【００３２】
請求項３の発明によれば、請求項１と同様に、隙間調整パッドを使用者の足の土踏まず部分の位置に当てるようにして設けられているので、足裏にかかる荷重が足裏全体に亘って分散されることから、マメ、タコ、魚の目等の角質化や、開張足、外反母趾等の骨格の変形や、踵痛、踏みつけ痛等のように荷重の衝撃吸収ができない、といった足裏の悩みを軽減させることができる。
【００３３】
請求項４の発明によれば、請求項２と同様に、最適な弾性硬度による心地よい着用感と兼用性を得ることができる。また、程良いグリップ性による安定歩行で疲れを緩和させることができる。
【図面の簡単な説明】
【図１】この発明の実施の形態の隙間調整パッドの構成を示す平面図である。
【図２】この発明の実施の形態の靴用隙間調整パッドの側面である。
【図３】図１のＩＩＩ−ＩＩＩ線の断面図である。
【図４】中敷きの平面図である。
【図５】中底上の足の土踏まず部分に隙間調整パッドを接合した上に中敷きを接合した履物としての靴の側面断面図である。
【符号の説明】
１  隙間調整パッド
３  中央部
５  先端側
７  後端側
９  中敷き
１１  靴（履き物）
１３  中底
１３Ａ  土踏まずの位置
１５  接着剤
１７  接着剤
【図１】
2004195019.tif 000003
【図２】
2004195019.tif 000004
【図３】
2004195019.tif 000005
【図４】
2004195019.tif 000006
【図５】
2004195019.tif 000007